(57)【要約】【課題】  部品の材料コストと組立コストを節減し、サムターン回しによる被害を的確に防ぐことができる扉用両側ロック装置を提供する。【解決手段】  扉の室外側面にシリンダー錠機構を設け、扉の室内側面にサムターン機構を設け、シリンダー錠の施錠軸とサムターン機構の作動軸の各回転運動をデッドボルトの出没運動に変換する連動機構を設け、サムターン機構の作動軸の内端面に鍵受孔を設け、サムターン機構の操作用摘み体としてシリンダー錠機構の鍵を使用する。【選択図】    図１
2005307504.tif 000002
【特許請求の範囲】
【請求項１】
扉に収容した固定ケースに直線運動または旋回運動して扉端面より出没するデッドボルトを設け、扉を開閉可能に支持した固定枠体にデッドボルトが係脱するストライクを設け、扉の室外側面にシリンダー錠機構を設け、扉の室内側面にサムターン機構を設け、前記シリンダー錠機構の施錠軸の回転運動とサムターン機構の作動軸の回転運動をデッドボルトの出没運動に変換する連動機構を本体ケースに設けた扉用両側ロック装置において、
サムターン機構の作動軸の内端面に鍵受孔を設け、サムターン機構の操作用摘み体として前記シリンダー錠機構の鍵を使用し、室内側から前記デッドボルトを施錠位置に駆動するには、前記鍵を作動軸の前記鍵受孔に挿入して作動軸を回転操作する一方、室外側から前記デッドボルトを施錠位置に駆動するには、前記鍵を施錠軸の鍵孔に挿入して施錠軸を回転操作することを特徴とする扉用両側ロック装置。
【発明の詳細な説明】
【技術分野】
【０００１】
本発明は、室外側と室外側の両側からデッドボルトを施解錠位置に駆動させることができる扉用両側ロック装置に関する。
【背景技術】
【０００２】
扉に収容した固定ケースに直線運動または旋回運動して扉端面より出没するデッドボルトを設け、扉を開閉可能に支持した固定枠体にデッドボルトが係脱するストライクを設け、扉の室外側面にシリンダー錠機構を設け、扉の室内側面にサムターン機構を設け、前記シリンダー錠の施錠軸の回転運動とサムターン機構の作動軸の回転運動をデッドボルトの出没運動に変換する連動機構を本体ケースに設けた扉用両側ロック装置は、既に各種構造のものが知られている。
【０００３】
これまでの侵入盗犯の手口は、ピッキング用具を鍵孔に挿入してシリンダー錠のピンタンブラ錠機構を操作し、錠本体に対する拘束を解除した施錠軸を回すことによって、デッドボルトを解錠位置へ駆動するものであった。
これに対して最近の傾向では、サムターン回しなる手口が流行している。これは、シリンダー錠を攻撃するのではなく、シリンダー錠の直ぐ背後にサムターン機構が置かれているという配置関係を利用して、扉に明けた貫通孔、あるいは扉の割られた小窓、もしくは扉に明けた貫通孔から針金などのサムターン回し用具を差し入れ、サムターン機構の操作用摘み体に引っ掛けて解錠方向に回してしまう方法である。
【０００４】
このサムターン回し対策としては、サムターン機構の作動軸の端部にフランジ状の回動円板を設け、該作動軸端部と回動円板を表面が略球面状に形成された摘み部と、略円錐状のカラー部とで包囲した摘み手段が提案されている（特許文献１参照）
このサムターン機構では、針金を差し入れることによりサムターンを不正に操作しようとしても、摘み手段の表面は針金が係止不能な面であるため、回転モーメントが発生せず、不正解錠を防止できる。また、仮に針金が係止できても。摘み手段は作動軸及び回動円板に対して回転自在であるため、摘み手段のみが空転するだけである。
【０００５】
しかしながら、このサムターン機構では、摘み手段が作動軸の突出端部と回動円板と摘み部およびカラー部の集合によって構成されているため、部品の材料コストがかかり、またそれら部品の組立コストも嵩むことになる。
【０００６】
【特許文献１】特開２００３-１５５８５１号公報
【発明の開示】
【発明が解決しようとする課題】
【０００７】
本発明の課題は、部品の材料コストと組立コストを節減し、サムターン回しによる被害を的確に防ぐことができる扉用両側ロック装置を提供することである。
【課題を解決するための手段】
【０００８】
本発明の主たる特徴は、扉に収容した固定ケースに直線運動または旋回運動して扉端面より出没するデッドボルトを設け、扉を開閉可能に支持した固定枠体にデッドボルトが係脱するストライクを設け、扉の室外側面にシリンダー錠機構を設け、扉の室内側面にサムターン機構を設け、前記シリンダー錠機構の施錠軸の回転運動とサムターン機構の作動軸の回転運動をデッドボルトの出没運動に変換する連動機構を本体ケースに設けた扉用両側ロック装置において、
サムターン機構の作動軸の内端面に鍵受孔を設け、サムターン機構の操作用摘み体として前記シリンダー錠機構の鍵を使用し、室内側から前記デッドボルトを施錠位置に駆動するには、前記鍵を作動軸の前記鍵受孔に挿入して作動軸を回転操作する一方、室外側から前記デッドボルトを施錠位置に駆動するには、前記鍵を施錠軸の鍵孔に挿入して施錠軸を回転操作することである。
【０００９】
この扉用両側ロック装置では、就寝に入る時、あるいは昼間であっても来訪者の入室を断りたい時には、サムターン機構の操作用摘み体である鍵を作動軸の鍵受溝に挿入し、該鍵によって作動軸を施錠方向に回してデッドボルトをストライクに係合させ、扉を固定枠体に対して開閉不能に錠止する。その後、鍵を作動軸の鍵受孔から引き抜いて所定の場所に保管する。
外出時には、鍵を保管場所から取り出してサムターン機構の作動軸の鍵受溝に挿入し、作動軸を解錠方向にまわしてデッドボルトをストライクから離脱させ、固定枠体に対する扉の錠止を解除する。
【００１０】
サムターン機構の鍵受溝から鍵を引き抜き、その鍵を手に持ったまま扉を開けて室外に出た後、扉を閉鎖し、シリンダー錠機構の施錠軸の鍵孔に鍵を挿入する。その鍵によって施錠軸を施錠方向に回してデッドボルトをストライクに係合させ、扉を固定枠体に対して錠止する。最後にシリンダー錠機構の鍵孔から鍵を抜き取り、その鍵を所持して扉の前を立ち去る。
外出先から帰った時には、携行していた鍵をシリンダー錠機構の鍵孔に挿入し、施錠軸を解錠方向に回してデッドボルトをストライクから脱出させる。施錠軸の鍵孔から鍵を抜き取って扉を開け、室内に入った後、その鍵をサムターン機構の作動軸の鍵受孔に挿入して置く。
【発明の効果】
【００１１】
以上のように本発明によれば、室外側のシリンダー錠機構に使用される鍵は、室内側のサムターン機構の操作用摘み体としても使用されるものであるから、サムターン機構の摘み手段を別に作製用意する従来装置と比較して、部品の材料コストと組立コストを節減することができる。
【００１２】
また、サムターン機構の操作用摘み体として兼用される鍵は、就寝時などにはサムターン機構の作動軸の鍵受溝から抜き取られてしまうものであるから、サムターン回しの手口による侵入盗犯を的確に防止することができる。
【実施例】
【００１３】
図示した実施例では、本体ケース１は、扉２の自由端側（ヒンジ軸とは反対側）の端面に設けられた空所３に収容され、端面プレート４の上下各端部を通るビス５によって扉２に固定されている。端面プレート４の内面にはロケーションピン６が突設されている。端面プレート４の中間部には、デッドボルト７のガイド孔８を形成してある。
【００１４】
シリンダー錠機構９を収容した錠ホルダー１０は、扉２の室外側面パネル１１に突き当てられ、裏側からビス１２によって締め付け固定されている。サムターン機構１３を収容したサムターンホルダー１４は、扉２の室内側面パネル１５に突き当てられ、裏側からビスによって締付け固着されている。
【００１５】
本体ケース１に収容された連動機構１６は、シリンダー錠機構９の施錠軸１７の内端部と、サムターン機構１３の作動軸１８の内端部が、両側面方向から接続されるハブ１９を備えており、このハブ１９には、デッドボルト７の基端部側面のカム溝２０に係合する操作アーム２１が突設されている。
【００１６】
鍵２２をシリンダー錠機構９の施錠軸１７の鍵孔２３に挿入して施錠軸１７を施錠方向に回したとき、前記ハブ１９が施錠軸１７と一体に回転し、前記操作アーム２１が前記カム溝２０の一方の内壁面２０ａを押すことによって、デッドボルト７が本体ケース１から突出し、固定枠体２４側のストライク２５に係合する。
鍵２２によって施錠軸１７を解錠方向に回したとき、操作アーム２１がカム溝２０の他方の内壁面２０ｂを押すことによって、デッドボルト７が本体ケース１側に引き込まれ、ストライク２５から脱出する。
【００１７】
他方、操作用摘みを兼ねている鍵２２をサムターン機構１３の作動軸１８の鍵受溝２６に挿入して作動軸１８を施錠方向に回したとき、前記ハブ１９が作動軸１８と一体に回転し、操作アーム２１がカム溝２０の一方の内壁面２０ａを押すことによって、デッドボルト７が本体ケース１から突出し、固定枠体２４側のストライク２５に係合する。
鍵２２によって作動軸１８を解錠方向に回したとき、操作アーム２１がカム溝２０の他方の内壁面２０ｂを押すことによって、デッドボルト７が本体ケース１側に引き込まれ、ストライク２５から脱出する。
【００１８】
シリンダー錠機構の施錠軸１７及びサムターン機構１３の作動軸１８とデッドボルト７間の連動機構としては、上記したものに限定されず、公知の機構を適宜選択して使用することができる。
【図面の簡単な説明】
【００１９】
【図１】本発明の一実施例に係る両側ロック装置を使用した扉の側面図である。
【図２】図１の両側ロック装置の一部を縦断面で示した背面図である。
【符号の説明】
【００２０】
１    本体ケース
２    扉
３    空所
４    端面プレート
５    ビス
６    ロケーションピン
７    デッドボルト
８    ガイド孔
９    シリンダー錠機構
１０  錠ホルダー
１１  室外側面パネル
１２  ビス
１３  サムターン機構
１４  サムターンホルダー
１５  室内側面パネル
１６  連動機構
１７  施錠軸
１８  作動軸
１９  ハブ
２０  カム溝
２１  操作アーム
２２  鍵
２３  鍵孔
２４  固定枠体
２５  ストライク
２６  鍵受溝
【図１】
2005307504.tif 000003
【図２】
2005307504.tif 000004